(57)【要約】【課題】  扉を楽に閉めることができるだけではなく、取っ手の格納構造を簡単化して部品数の減少化や、組立て、製造に係る手間暇の軽減化、コストの低減化を可能にし、また取っ手の復元構造によって収納スペースに支障を来たすことがないようにする。【解決手段】  前側の扉１を上開き式に形成する。この扉１の裏面に、扉１を閉める操作を補助するための取っ手２を設ける。この取っ手２は、扉１を閉めると格納され、扉１を開けると扉１の裏面から突出状に配置される。そして本発明は、扉１を閉めるときに取っ手２が当接すると、扉１に加わる押圧力を利用して取っ手２を格納位置に戻して復元させる受け３を、収納部４内の取っ手２に対応する位置に設ける。【選択図】      図１
2012176199.tif 000002
【特許請求の範囲】
【請求項１】
前側の扉が上開き式に形成され、この扉の裏面に、扉を閉める操作を補助するための取っ手が設けられ、この取っ手が扉を閉めると格納され、扉を開けると扉の裏面から突出状に配置される扉の閉操作補助取っ手付き吊戸棚であって、扉を閉めるときに上記の取っ手が当接すると、扉に加わる押圧力を利用して取っ手を格納位置に戻して復元させる受けが、収納部内の取っ手に対応する位置に設けられていることを特徴とする扉の閉操作補助取っ手付き吊戸棚。
【請求項２】
請求項１記載の扉の閉操作補助取っ手付き吊戸棚であって、扉を閉めると取っ手が起立状に格納され、扉が開けられると取っ手が基端の枢着軸を中心に格納位置から自重で下方に回動して使用位置に配置可能に形成されていることを特徴とする扉の閉操作補助取っ手付き吊戸棚。
【請求項３】
請求項２記載の扉の閉操作補助取っ手付き吊戸棚であって、取っ手の開放状の先端の受けに当たる面が、格納時に扉の裏面側に反った湾曲面状に形成され、この取っ手を案内する受けが取っ手を案内する凸湾曲状の外周面を備えて形成されていることを特徴とする扉の閉操作補助取っ手付き吊戸棚。
【請求項４】
請求項２又は３記載の扉の閉操作補助取っ手付き吊戸棚であって、取っ手が、起立状の格納時に、扉の裏面に面接触状に形成されていると共に、基端に扉の開閉操作時に扉の裏面との干渉を防止するための逃げが形成されていることを特徴とする扉の閉操作補助取っ手付き吊戸棚。
【請求項５】
請求項２乃至４の何れかに記載の扉の閉操作補助取っ手付き吊戸棚であって、取っ手の長さを延長するための延長部材が、取っ手の側面に、取っ手の枢着軸と平行する軸を中心に回動可能に設けられていることを特徴とする扉の閉操作補助取っ手付き吊戸棚。
【請求項６】
請求項１記載の扉の閉操作補助取っ手付き吊戸棚であって、取っ手が、扉を開くと自重で突出状に進出する可動部を備えて伸縮可能に形成されていることを特徴とする扉の閉操作補助取っ手付き吊戸棚。
【発明の詳細な説明】
【技術分野】
【０００１】
本発明は扉が上開き式に形成されている吊戸棚に関し、更に詳しくは開いた扉を引き下ろして閉める操作を容易化できるよう形成した扉の閉操作補助取っ手付き吊戸棚に関するものである。
【背景技術】
【０００２】
従来、この種の吊戸棚としては、例えば特許文献１、同２に記載されているものがある。
特許文献１に記載の従来品は、跳ね上げ式等の上開き扉の裏側に、扉の水平軸と平行な軸を中心に回動する取っ手を、吊り下げ状に備えて形成されている。
また特許文献２に記載の従来品は、扉の内面に、扉引き取り付け手段を設け、この手段に、下方へ垂れ下がる扉引きを、その取り付け位置が扉の内面に沿って移動可能になるよう取り付けられている。
【０００３】
ところで、この種の吊戸棚は、扉を閉めるとき、扉の裏面に設けた取っ手を持って扉を引き下ろすことで、楽に扉を閉めることができるが、従来品は、取っ手を元に戻すために、ベルトや引っ張りコイルバネ等を必要としていた。
従って従来品は、扉の裏面にガイド溝やレール部材を設ける必要があったから、従来品によると、部品点数や、組立て工程、製造工程が増加し、製造に手間暇がかかり、またコストが高くなる、という問題点があった。
【０００４】
また従来品は、上記の通り、取っ手の復元に、ベルトやコイルバネ等を利用しているため、扉の裏側の造作スペースを広く必要とすることが多かった。従って従来品によると、その分、収納スペースに支障を来たす、という問題点があった。
【先行技術文献】
【特許文献】
【０００５】
【特許文献１】特開昭５９−１８１１０５号公報
【特許文献２】特開２００８−２９３８２号公報
【発明の概要】
【発明が解決しようとする課題】
【０００６】
本発明は、このような従来品の問題点に鑑み、提案されたものである。
従って本発明の解決しようとする技術的課題は、扉を楽に閉めることができるだけではなく、取っ手の格納構造を簡単化して部品数の減少化や、組立て、製造に係る手間暇の軽減化、コストの低減化を可能にし、また取っ手の復元構造によって収納スペースに支障を来たさないよう形成した扉の閉操作補助取っ手付き吊戸棚を提供することにある。
【課題を解決するための手段】
【０００７】
本発明は、上記の課題を解決するため、次のような技術的手段を採る。
即ち本発明は、図１等に示されるように、前側の扉１が上開き式に形成され、この扉１の裏面に、扉１を閉める操作を補助するための取っ手２が設けられ、この取っ手２が扉１を閉めると格納され、扉１を開けると扉１の裏面から突出状に配置される扉の閉操作補助取っ手付き吊戸棚であって、扉１を閉めるときに上記の取っ手２が当接すると、扉１に加わる押圧力を利用して取っ手２を格納位置に戻して復元させる受け３が、収納部４内の取っ手２に対応する位置に設けられていることを特徴とする（請求項１）。
【０００８】
而して、本発明は、扉１を閉めると取っ手２が起立状に格納され、扉１が開けられると取っ手２が基端の枢着軸６を中心に格納位置から自重で下方に回動して使用位置に配置可能に形成されているのが好ましい（請求項２）。
なぜならこれによると、取っ手２の構造を簡単化でき、扉１の開閉に連動させて、格納、使用状態位置への配置を円滑にできるからである。ここで、起立状とは、取っ手２が立ち上がった状態を意味し、垂直には限られない。即ち、取っ手２は、多少傾斜した状態で格納されているのでも良い。
【０００９】
この場合、本発明は、取っ手２の開放状の先端２ｃの受け３に当たる面が、格納時に扉１の裏面側に反った湾曲面状に形成され、この取っ手２を案内する受け３が取っ手２を案内する凸湾曲状の外周面３ａを備えて形成されているのが好ましい（請求項３）。
なぜならこれによると、扉１の開閉操作時に、受け３の外周面３ａで取っ手２を円滑にガイドできるからである。
【００１０】
また本発明は、取っ手２が、起立状の格納時に、扉１の裏面に面接触状に形成されていると共に、基端に扉１の開閉操作時に扉１の裏面との干渉を防止するための逃げ２ｄが形成されているのが好ましい（請求項４）。
なぜならこれによると、取っ手２の回動操作を支障なくでき、また取っ手２を扉１に面接触させて安定した姿勢で格納できるからである。
【００１１】
また本発明は、取っ手２の長さを延長するための延長部材８が、取っ手２の側面に、取っ手２の枢着軸６と平行する軸９を中心に回動可能に設けられているのが好ましい（請求項５）。
なぜならこれによると、扉１を閉めるとき、取っ手２の先端２ｃより低く配置される延長部材８を掴んで操作でき、扉１の閉操作を楽にできるからである。
【００１２】
而して、本発明の場合、取っ手２は、回動式の場合には限られない。即ち、本発明は、図１１、図１２等に示されるように、取っ手２が、扉１を開くと自重で突出状に進出する可動部１０を備えて伸縮可能に形成されているのでも良い（請求項６）。
この場合は、取っ手２が回動式のときに、受け３に必要となる凸湾曲状の外周面３ａ（図１参照）を一掃できるから、これによると、受け３の構造を簡単化できる、という利点がある。
【発明の効果】
【００１３】
本発明は、このように取っ手が扉を閉めるときに当接すると、扉に加わる押圧力を利用して取っ手を格納位置に戻して復元させる受けを、収納部内の取っ手に対応する位置に設けているものである。
従って本発明は、取っ手を格納するための構造を簡単化でき、部品数を減少できるから、これによれば、組立て作業、製造作業の手間暇を軽減でき、コストを低減化できる。
また本発明によると、取っ手や受けが占めるスペースを小さくできるから、収納スペースに支障を来たすことがない。
【図面の簡単な説明】
【００１４】
【図１】本発明の吊戸棚の好適な一実施形態を示し、Ａ〜Ｃとも、作用を説明するための断面図である。
【図２】同上吊戸棚の正面図である。
【図３】同上吊戸棚の扉を少し開けたときの正面図である。
【図４】取っ手と受けを示す要部斜視図である。
【図５】取っ手の他の実施形態を示す斜視図である。
【図６】同上吊戸棚の他の実施形態を示す閉扉時の断面図である。
【図７】図６の実施形態の作用を説明するための断面図である。
【図８】図６の実施形態の取っ手の斜視図である。
【図９】Ａ〜Ｃとも、受けの他の実施形態を示す断面図である。
【図１０】受けの更に他の実施形態を示し、Ａは閉扉時の断面図、Ｂは開扉時の断面図、Ｃは収納部の要部正面図、ＤはＣのＤ−Ｄ線拡大断面図である。
【図１１】同上吊戸棚の更に他の実施形態を示し、Ａは閉扉時の断面図、Ｂは要部拡大断面図である。
【図１２】図１１の取っ手の斜視図である。
【図１３】図１１の実施形態の開扉時の断面図である。
【図１４】図１１の実施形態の取っ手の作用を説明するための要部拡大断面図である。
【図１５】取っ手の更に他の実施形態を示す斜視図である。
【図１６】図１５の取っ手の一部を断面化した側面図である。
【図１７】図１５の取っ手の作用を説明するための開扉時の断面図である。
【図１８】Ａは図１５の取っ手を備えた本発明品の閉扉時の断面図、Ｂは要部拡大断面図である。
【発明を実施するための形態】
【００１５】
以下、本発明を実施するための好適な一実施形態を、添付図面に従って説明する。
本発明の吊戸棚は、図１等に示されるように、前側の扉１が上開き式に形成され、この扉１の裏面に、扉１を閉める操作を補助するための取っ手２が設けられている。この取っ手２は、扉１を閉めると格納され、扉１を開けると扉１の裏面から突出状に配置される。
【００１６】
また本発明品は、扉１を閉めるときに上記の取っ手２が当接すると、扉１に加わる押圧力を利用して取っ手２を格納位置に戻して復元させる受け３が、収納部４内の取っ手２に対応する位置に設けられている。なお５は、扉１の表面の下側に設けられている外側の把手である。
【００１７】
上記の取っ手２は、この実施形態では図１Ａに示されるように、扉１を閉めると、起立状に格納される。また取っ手２は、扉１が開けられると、受け３に案内されて基端の枢着軸６を中心に格納位置から自重で下方に回動して使用位置に配置可能に形成されている。取っ手２は、使用位置に配置されたとき、基端の角２ａが扉１の裏面に当たって係止され、扉１の裏面とほぼ直角になるよう配置される。
【００１８】
なお取っ手２は、図２、図３に示されるように、扉１の裏面の左右の下側に設けられている。また取っ手２は、滑りを防止して掴み易くするための手掛かり部２ｂが、側面に形成されている。この手掛かり部２ｂは、この実施形態では孔状に形成されているが、図５に示されるように、側面に突起状に形成されているのでも良い。また取っ手２は、扉１の裏面の左右の片側だけに設けられているのでも良い。
【００１９】
また取っ手２は、具体的には木製または樹脂製、或いはステンレス等の金属製であり、起立状の格納時に、開放状の先端２ｃの受け３に当たる面が、扉１の裏面側に反った湾曲面状に形成されている。また取っ手２は、起立状の格納時に、扉１の裏面に面接触状に形成されていると共に、扉１の開閉操作時に扉１の裏面との干渉を防止するための逃げ２ｄが形成されている。逃げ２ｄは、この実施形態では湾曲面状に形成されている。
【００２０】
また上記の受け３は、取っ手２を案内する凸湾曲状の外周面３ａを備えて形成されている。受け３は、この実施形態では円柱状に形成され、図２、図３に示されるように、左右の側板７から収納部４内に突き出されて横向きに設けられている。
【００２１】
次に本発明品の作用を説明する。
本発明品は、図１Ａに示されるように、取っ手２は、閉扉時において起立状に格納されている。この状態で、使用者が外側の把手５を持って扉１を開けると、扉１が開かれるのに連れて取っ手２は長手方向に沿った面が受け３にガイドされながら、基端の枢着軸６を中心に、図面上、時計方向に回りながら下降する。
【００２２】
そして扉１が更に開かれて開放状の先端２ｃが受け３から離れると、同図Ｃに示されるように、取っ手２は角２ａが扉１の裏面に係止されて所定の角度に配置される。なお、取っ手２の枢着軸６は、扉１の下端付近に設けられている。従って扉１が中途半端な状態に開かれたときでも（扉１の開き角が９０度以下でも）、取っ手２は先端２ｃを下向きにして、手の届き易い状態に配置される。
【００２３】
次に、扉１を閉めるときは、使用者は先ず取っ手２を持ち、次にある程度の位置まで取っ手２を引く。そして扉１と収納部４とが近づいたら、使用者は取っ手２から手を離して扉１を押す。すると、取っ手２の先端２ｃが受け３に当たり、扉１が更に押されると、取っ手２の長手方向に反った面が受け３に擦接して案内されながら、取っ手２が受け３によって除々に引き起こされる。そして扉１が完全に閉まると、取っ手２は、図１Ａに示されるように、起立状に格納される。
【００２４】
以上の処において、取っ手２は、図６〜図８に示されるように、取っ手２の長さを延長するための延長部材８が取っ手２の側面に、取っ手２の枢着軸６と平行する軸９を中心に回動可能に設けられているのでも良い。延長部材８は、この実施形態では、長板片状に形成されている。
【００２５】
使用者が、外側の把手５を持って扉１を開けると、取っ手２は枢着軸６を中心に下方に回動する。延長部材８は、それに連れ、軸９を中心に自重で回り、扉１が完全に開かれると、取っ手２の先端２ｃより下になるよう垂れ下がる（図７の鎖線状態を参照）。
【００２６】
また扉１を閉めると、取っ手２が受け３に案内されながら徐々に引き起こされ、それに連れて延長部材８が軸９を中心に回る。そして、扉１が完全に閉められると、延長部材８は、取っ手２の側面に沿って垂下状に配置される（図６の状態を参照）。
【００２７】
而して、本発明の場合、上記の受け３は、円柱状には限られず、その他、例えば図９に示されるように、断面が半円状（同図Ａ参照）や、舌片状（同図Ｂ参照）に形成されているのでも良い。また受け３が、凸湾曲面状の外周面３ａを備えて形成される場合は、ブロック状に限定されるものではない。即ち、受け３は、同図Ｃに示されるように、断面が例えば弓形の板片状に形成されているのでも良い。
【００２８】
また本発明は、受け３が、図１０に示されるように、収納部４の底板４ａに形成されているのでも良い。この実施形態の場合は、受け３が、底板４ａの前端の左右方向の中央に、外周面３ａを前側斜め上方に向けて形成されている。取っ手２は、図１等に示される構造と同一である。取っ手２は、上記の延長部材８を備えて形成されているのでも良い。
而して、このように受け３が、底板４ａに形成される場合は、部品数を一層減らすことができる。またこれによると、収納部４の収納スペースを狭めることが全くない、という利点がある。
【００２９】
また本発明は、図１２、図１５に示されるように、取っ手２が、扉１を開くと自重で突出状に進出する可動部１０を備えて伸縮可能に形成されているのでも良い。
【００３０】
この実施形態の場合、取っ手２の本体部１１は、筒状に形成され、扉１に、例えば捩じ込み可能になるよう、外周面に雄ネジ１１ａが形成されている。可動部１０は、本体部１１に進退動作自在に差し込まれている。また突き出し時に、本体部１１の前面部１１ｂに係止して抜脱が防止されるよう、可動部１０の基端１０ａは、径が拡大されている。
【００３１】
また可動部１０の先端１０ｂは、この実施形態ではフランジ状に形成されている。受け３は、例えば円柱状や、ブロック状に形成され、左右の側板７の内面から収納部４内に、突き出されている。
【００３２】
而して、この本発明品の場合は、扉１が閉まっている状態（図１１Ａ参照）から、図１３に示されるように、扉１が開かれると、可動部１０が自重で本体部１１から滑り出して突出状に配置される。また扉１を閉めるときは、使用者は、可動部１０のフランジ状の先端１０ｂを掴んで扉１を引き下ろす。そしてある程度扉１が閉まったら、取っ手２から手を離し、扉１を押し込む。すると、可動部１０の先端１０ｂが受け３に当たって本体部１１に押し戻される。そして扉１が完全に閉まると、図１１Ａに示されるように、取っ手２は可動部１０の先端１０ｂが受け３に当接した状態で配置される。
【００３３】
また図１５に示される実施形態は、取っ手２が、径を順次違えた可動部１０を複数備えて伸縮可能に形成されている例である。この実施形態の場合、可動部１０は、一段目１０Ａ、二段目１０Ｂ、三段目１０Ｃと、径が順次大きく形成され、三段式に伸縮が可能になるよう形成されている。この場合、夫々の可動部１０は、図１６に示されるように、抜脱が防止されるよう、基端１０ａの径が拡大され、また二段目１０Ｂと三段目１０Ｃの可動部１０の前面の孔１０ｃ、及び本体部１１の前面の孔１１ｃは、一段目１０Ａ、二段目１０Ｂ、三段目１０Ｃの可動部の基端１０ａを係止して抜け落ちを防止できるよう、基端１０ａの径より孔径が小さく形成されている。
【００３４】
而して、この本発明の場合は、図１７に示されるように、使用者が扉１を開くと、可動部１０が順次伸ばされて突き出される。従って使用者は、可動部１０が単数の場合より、低い位置で取っ手２を楽に掴んで扉１を引き下ろして閉めることができる。また扉１を閉めると、一段目１０Ａの可動部１０の先端１０ｂが、受け３に当たり、扉１を閉めるにつれて、二段目１０Ｂ、三段目１０Ｃの可動部１０が順次収縮状に収まる。そして、扉１が完全に閉まると、図１８に示されるように、各可動部１０は本体部１１に収納状に格納される。
【符号の説明】
【００３５】
１      扉
２      取っ手
３      受け
４      収納部
【図１】
2012176199.tif 000003
【図２】
2012176199.tif 000004
【図３】
2012176199.tif 000005
【図４】
2012176199.tif 000006
【図５】
2012176199.tif 000007
【図６】
2012176199.tif 000008
【図７】
2012176199.tif 000009
【図８】
2012176199.tif 000010
【図９】
2012176199.tif 000011
【図１０】
2012176199.tif 000012
【図１１】
2012176199.tif 000013
【図１２】
2012176199.tif 000014
【図１３】
2012176199.tif 000015
【図１４】
2012176199.tif 000016
【図１５】
2012176199.tif 000017
【図１６】
2012176199.tif 000018
【図１７】
2012176199.tif 000019
【図１８】
2012176199.tif 000020